(57)【要約】【課題】レックビュー表示など、撮影時における各種切り換えの操作性を向上させる。【解決手段】  本実施形態に係る撮影機器は、撮影レンズと、上記撮影レンズの光軸を中心に回動する回動操作部と、上記撮影レンズからの光学像を電気信号に変換して撮像画像を取得する撮像部と、上記撮像部によって得られた撮像画像を表示部の表示画面上に表示させると共に、モードを切換えるための複数の表示を同一円周上の上記表示画面上の位置に表示させる表示制御部と、上記回動操作部の回動操作に応じて、上記モードを切換えるための複数の表示のうちの１つを選択する制御部とを具備する。【選択図】図１
2012205273.tif 000002
【特許請求の範囲】
【請求項１】
撮影レンズと、
上記撮影レンズの光軸を中心に回動する回動操作部と、
上記撮影レンズからの光学像を電気信号に変換して撮像画像を取得する撮像部と、
上記撮像部によって得られた撮像画像を表示部の表示画面上に表示させると共に、モードを切換えるための複数の表示を同一円周上の上記表示画面上の位置に表示させる表示制御部と、
上記回動操作部の回動操作に応じて、上記モードを切換えるための複数の表示のうちの１つを選択する制御部と
を具備したことを特徴とする撮影機器。
【請求項２】
上記表示制御部は、上記回動操作部の回動中心と上記同一円周の中心とを一致させる
ことを特徴とする請求項１に記載の撮影機器。
【請求項３】
上記表示制御部は、上記回動操作部の回動操作に応じて、上記モードを切換えるための複数の表示を回転移動させ、
上記制御部は、上記モードを切換えるための複数の表示のうち上記回転移動により基準位置に到達した表示を選択する
ことを特徴とする請求項１又は２に記載の撮影機器。
【請求項４】
上記制御部は、上記回動操作部の回転角度に応じて、上記モードを切換えるための複数の表示のうちの１つを選択する
ことを特徴とする請求項１乃至３のいずれか１つに記載の撮影機器。
【請求項５】
上記制御部は、上記回動操作部の回転操作回数に応じて、上記モードを切換えるための複数の表示のうちの１つを選択する
ことを特徴とする請求項１又は２に記載の撮影機器。
【請求項６】
上記表示制御部は、上記回動操作部の回転速度に応じて、上記モードを切換えるための複数の表示の回転移動量を決定する
ことを特徴とする請求項３に記載の撮影機器。
【発明の詳細な説明】
【技術分野】
【０００１】
本発明は撮影機能、再生機能、レックビュー機能、これらを代表とする複数の機能やモードモード切換機能を有する撮影機器に関する。
【背景技術】
【０００２】
近年、デジタルカメラなどの撮影機能付き携帯機器（撮影機器）が普及している。この種の撮影機器においては、撮影を行う機能のみならず、撮影した画像を確認、鑑賞するための再生機能や、さらに迅速に記録画像を確認するためのレックビュー機能などを搭載したものがある。これらの機能切換のみならず、撮影時、再生時にもモード切換を行う事があり、こうした切替操作を迅速に行うことは、撮影の即写性を高める上で重要な技術である。
【０００３】
なお、このレックビュー機能は、撮像して記録した画像を撮像の直後において所定時間表示させるものである。ユーザはレックビューによって撮影状態を確認することができ、極めて便利である。
【０００４】
このように、レックビュー機能は、撮影の合間に再生を行う特殊性から、カメラ操作の迅速性を高めるのに重要な技術であり、この操作性に着目し、改良することによって、カメラをさらに使いやすくすることができる。
【０００５】
しかしながら、レックビュー表示のために、撮影直後の所定時間スルー画を表示させることができなくなることから、ユーザがレックビューの表示時間を短縮させたい場合がある。逆に、ユーザが撮影画像を十分な時間をかけて確認したい場合等、レックビューの表示時間を延長させたい場合もある。
【０００６】
そこで、特にレックビュー機能に着目すれば、特許文献１においては、レックビュー時に操作用のアイコンを表示し、十字キー操作でアイコンを選択するようにしたカメラが開示されている。
【先行技術文献】
【特許文献】
【０００７】
【特許文献１】特開２００３−２０４４５４号公報
【発明の概要】
【発明が解決しようとする課題】
【０００８】
しかしながら、特許文献１の技術では、レックビュー表示時のアイコンの選択及び決定操作のために、例えば機器背面等に設けた十字キーを操作する必要があり、必ずしも操作性に優れていない。
【０００９】
レックビューのみならず、その他のカメラ機能切換においても、こうした十字キー利用はよく行われており、このような切り替え制御の改良は常に求められていた。
【００１０】
本発明は、レックビュー表示時の操作性をはじめ、カメラ撮影時の切替操作の迅速性を向上させることができる撮影機器を提供することを目的とする。
【課題を解決するための手段】
【００１１】
本発明に係る撮影機器は、撮影レンズと、上記撮影レンズの光軸を中心に回動する回動操作部と、上記撮影レンズからの光学像を電気信号に変換して撮像画像を取得する撮像部と、上記撮像部によって得られた撮像画像を表示部の表示画面上に表示させると共に、モードを切換えるための複数の表示を同一円周上の上記表示画面上の位置に表示させる表示制御部と、上記回動操作部の回動操作に応じて、上記モードを切換えるための複数の表示のうちの１つを選択する制御部とを具備する。
【発明の効果】
【００１２】
本発明によれば、レックビュー表示時の操作性を向上させることができるという効果を有する。
【図面の簡単な説明】
【００１３】
【図１】本発明の第１の実施の形態に係る撮影機器の回路構成を示すブロック図。
【図２】撮影機器の外観を示す正面図。
【図３】撮影機器の背面図。
【図４】撮影機器の側面図。
【図５】レンズ鏡筒２３に設けられた回動操作部４を説明するための説明図。
【図６】第１の実施の形態の動作を説明するためのフローチャート。
【図７】選択操作の様子を示す説明図。
【図８】表示画面９ａの表示を説明するための説明図。
【図９】変形例を示すフローチャート。
【図１０】第２の実施の形態を説明するための説明図。
【図１１】第２の実施の形態を説明するための説明図。
【図１２】第２の実施の形態を説明するための説明図。
【図１３】第２の実施の形態における選択操作を説明するためのフローチャート。
【図１４】第２の実施の形態の変形例を示すフローチャート。
【図１５】第２の実施の形態の変形例を示すフローチャート。
【図１６】レックビュー表示の他の例を示す説明図。
【発明を実施するための形態】
【００１４】
以下、図面を参照して本発明の実施の形態について詳細に説明する。
【００１５】
（第１の実施の形態）
図１は本発明の第１の実施の形態に係る撮影機器の回路構成を示すブロック図である。図２は撮影機器の外観を示す正面図であり、図３は撮影機器の背面図であり、図４は撮影機器の側面図である。
【００１６】
図２乃至図４において、撮影機器１の筐体２１の前面には、撮影レンズ部２２が設けられている。撮影レンズ部２２はレンズ鏡筒２３、レンズ鏡筒２３に取り付けられた撮影レンズ３及びレンズ制御部３ａを有する。レンズ鏡筒２３には、レンズ鏡筒２３の周囲に設けられたリング状部材であり、レンズ鏡筒２３の周囲を回動自在な回動操作部４が設けられている。なお、回動操作部４としては、撮影レンズ３のピント合わせやフォーカス調整等に用いるピントリング、フォーカスリング等を兼用して用いることができる。
【００１７】
筐体２１には、表示部９が内蔵されている。表示部９の表示画面９ａは筐体２１の背面に露呈しており、撮影時等においてユーザが表示画面９ａを確認することができるようになっている。なお、回動操作部４の回動中心と表示画面９ａの中心とを一致させた方が望ましい。筐体２１の上面には、撮影を行うためのレリーズボタン２４が配設されている。また、筐体２１の背面には、十字キー等の各種操作スイッチ２５も配置されている。
【００１８】
図１において、撮影機器１は、ＣＣＤやＣＭＯＳセンサ等の撮像素子によって構成された撮像部２を有している。撮影機器１の前面に設けたレンズ鏡筒２３内の撮影レンズ３を含む光学系からの被写体の光学像は、撮像部２を構成する撮像素子の撮像面に結像するようになっている。レンズ制御部３ａは、信号処理及び制御部１１に制御されて、撮影レンズ３を駆動してピント合わせを行うことができるようになっている。撮像部２は、信号処理及び制御部１１によって駆動制御される。信号処理及び制御部１１は、撮像部２に撮像素子の駆動信号を出力すると共に、撮像素子が光学像を光電変換して得た画像信号を取り込む。
【００１９】
信号処理及び制御部１１は、撮像素子の光電変換によって得られた画像信号に対して、所定の信号処理、例えば、色信号生成処理、マトリックス変換処理、その他各種のデジタル処理を行う。信号処理及び制御部１１は、画像信号及び音声信号等の記録に際して、符号化処理を施して圧縮した画像情報及び音声情報等を出力することもできるようになっている。
【００２０】
また、撮影機器１には、時計部６、操作判定部７も配設されている。時計部６は信号処理及び制御部１１が用いる時間情報を発生する。操作判定部７は、撮影機器１に設けられたレリーズボタン２４や撮影モード設定等の各種操作スイッチ２５等に対するユーザ操作に基づく操作信号を発生して、信号処理及び制御部１１に出力するようになっている。
【００２１】
また、撮影機器１には、表示制御部１２及び記録再生制御部１３が設けられている。記録再生制御部１３は、信号処理及び制御部１１からの画像情報及び音声情報を記録部８に与えて記録することができるようになっている。記録部８は記録再生制御部１３に制御されて、記録及び再生を行う。記録部８としては、例えばカードインターフェースを採用することができ、記録部８はメモリカード等の記録媒体に画像情報及び音声情報等を記録可能である。また、記録部８は、記録媒体に記録された画像情報及び音声情報を読み出して信号処理及び制御部１１の記録再生制御部１３に供給することができる。信号処理及び制御部１１は、記録再生制御部１３によって再生された記録部８からの画像情報及び音声情報を復号化して、画像信号及び音声信号を得ることができるようになっている。
【００２２】
表示制御部１２は、撮像部２からの撮像画像や記録再生制御部１３からの再生画像を表示部９に与えて、これらの画像を表示させるようになっている。また、表示制御部１２は、撮影機器１の操作を行うためのメニュー表示、アイコン表示等を表示部９に表示させることもできるようになっている。表示部９は、撮影機器１の本体の例えば背面に設けられており、撮影者は、撮影時に表示部９の表示画面９ａを視認可能になっている。表示部９としては、ＬＣＤパネル等を採用可能である。
【００２３】
また、信号処理及び制御部１１には、電子ビューファインダー等の外部表示部１０を接続可能である。外部表示部１０は、例えば、撮影機器１の筐体２１の上面の取り付け部に取り付けられる。外部表示部１０は、表示制御部１２に制御されて、表示部９と同様の表示を表示することができるようになっている。
【００２４】
図５はレンズ鏡筒２３に設けられた回動操作部４を説明するための説明図である。図５（ａ）は回動操作部４を示している。また、図５（ｂ）はエンコーダ部５を示しており、図５（ａ）の斜線部の構成を示している。円環状の回動操作部４の平面上には、図５（ｂ）に示すように、円周状に複数の反射部５ａが設けられている。反射部５ａは、回動操作部４の平面上に所定の間隔で円周の全域に亘って配置されている。反射部５ａが設けられた回動操作部４の平面の一部に対向するレンズ鏡筒２３の部分には、ＬＥＤ等の発光部５ｂ及びフォトダイオード等の受光部５ｃが２組固定されている。図５（ｂ）の矢印に示すように、各組の発光部５ｂから出射された光は反射部５ａによって反射して各組の受光部５ｃにおいて受光される。
【００２５】
エンコーダ部５は、反射部５ａによる反射光を受光部５ｃにおいて受光する毎に、パルス（以下、回転パルスともいう）を発生する。反射部５ａの配置間隔及び回動操作部４の回転に従ったパルスが発生する。例えば、反射部５ａを回動操作部４の平面上に７２個配置した場合には、回動操作部４が５度回転する毎にパルスを発生させることができる。発光部５ｂ及び受光部５ｃの各組を相互に１／４周期ずらしてインクリメント型（２相波形型）で配置することにより、発生するパルスから回動操作部４の回転方向及び回転角度の情報が得られる。
【００２６】
本実施の形態においては、信号処理及び制御部１１には、回動検出部１４が設けられている。回動検出部１４は、エンコーダ部５からのパルスが与えられて、回動操作部４の回転角度及び回転方向を検出し、検出結果をモード決定部１５に出力する。
【００２７】
表示制御部１２は、撮影直後において信号処理及び制御部１１によって撮像部２から取り込まれて画像処理された撮像画像を、レックビュー画像として表示部９の表示画面９ａ上に表示させるレックビュー表示を行う。本実施の形態においては、表示制御部１２は、レックビュー表示時に、次の処理モードを指定するためのアイコン表示を表示させるようになっている。この場合に、表示制御部１２は、各アイコンを表示画面９ａの中心から所定の半径を有する円周上に配置するようになっている。従って、各アイコンの位置は、表示画面９ａの中心を通る基準線（例えば水平線）と中心からアイコンの位置まで引いた線分との中心角によって特定することができる。
【００２８】
モード決定部１５は、回動検出部１４からの検出結果をユーザによる選択操作として受け付ける。モード決定部１５は、レックビュー表示時に回動検出部１４からの検出結果、即ち、回動操作部４の回転方向及び角度の情報が与えられると、この情報をアイコンの選択操作とする。例えば、表示画面９ａ上において、中心角が反時計方向を正として４５度及び１３５度の位置にある場合において、回動操作部４の回転角度が反時計方向を正として約１３５度回転した場合には、モード決定部１５は、ユーザが１３５度の位置にあるアイコンを選択したものと判定する。
【００２９】
モード決定部１５は、回動検出部１４からの検出結果に基づくアイコンを選択し、選択したアイコンに割当てられたモードを決定する。信号処理及び制御部１１はモード決定部１５の決定に従ったモードを設定する。
【００３０】
なお、モード決定部１５は、回動検出部１４からの検出結果に基づく選択操作の後、ユーザによる決定操作を受けて、モードを決定するようにしてもよい。例えば、モード決定部１５は、レックビュー表示時において、操作判定部７からレリーズボタン２４に対する操作が行われたことを示す操作信号が与えられると、モードを決定するようにしてもよい。
【００３１】
また、本実施の形態においては、アイコンを配置する所定の半径を有する円周の中心を、回動操作部４の回動中心に一致させるようにしてもよい。この場合には、回動操作部４によるアイコンの選択操作を一層直感的に行うことが可能となる。
【００３２】
次に、このように構成された実施の形態の動作について図６乃至図８を参照して説明する。図６は第１の実施の形態の動作を説明するためのフローチャートである。図７は選択操作の様子を示す説明図であり、図８は表示画面９ａの表示を説明するための説明図である。
【００３３】
撮影機器１の電源がオンになると、図６のステップＳ１において、信号処理及び制御部１１は撮影モードが指示されたか否かを判定する。撮影モードが指示されていない場合には、信号処理及び制御部１１は、ステップＳ２において、再生モードが指示されたか否かを判定する。再生モードが指示されると、信号処理及び制御部１１は、ステップＳ３において、サムネイルの一覧表示を行う。サムネイル一覧を参照したユーザによる画像の選択が行われると、ステップＳ４からステップＳ５に処理を移行して、信号処理及び制御部１１は選択画像の再生を行う。ファイル選択が行われない場合には、ステップＳ６において再生モードの終了を判定する。
【００３４】
一方、撮影モードが指示されると、信号処理及び制御部１１は、ステップＳ１１において、撮像部２からの画像信号に基づいて、表示部９に撮像画像（スルー画）をライブビュー表示させる。この状態でユーザがピント合わせのために図示しないピントリングを回転させると、ステップＳ１２から処理をステップＳ２２に移行して回転が右回転であったか否かが判定される。右回転の場合には、信号処理及び制御部１１は、レンズ制御部３ａを制御して、合焦位置を近距離側にシフトさせる（ステップＳ２４）。逆に、ピントリングが左回転された場合には、信号処理及び制御部１１はレンズ制御部３ａを制御して、合焦位置を遠距離側にシフトさせる。
【００３５】
次に、信号処理及び制御部１１は、ステップＳ１３において、撮影操作が行われたか否かを判定する。ユーザがレリーズボタン２４を操作して撮影を行うと、信号処理及び制御部１１は、ステップＳ１４において撮影を行う。信号処理及び制御部１１は、撮像部２からの撮像画像に対して所定の信号処理を施して撮像画像を生成する。記録再生制御部１３は、生成された撮像画像を記録部８に与えて画像ファイル化する（ステップＳ１５）。次に、表示制御部１２は、ステップＳ１６において、信号処理及び制御部１１によって生成された撮像画像を用いたレックビュー表示を開始する。
【００３６】
図８（ａ）はレックビュー表示の一例を示している。図８（ａ）においては、記録された人物４２の撮像画像４１が表示画面９ａの一部に表示されている。また、表示画面９ａの他の部分には、ヒストグラム表示４３が表示されている。ヒストグラム表示４３は、横軸に撮像画像の明るさをとり縦軸に画素数をとって、撮像画像の明るさを示している。また、表示画面９ａの他の部分には、シャッタースピードＳＳや絞り値を示す撮影条件表示４４も表示されている。
【００３７】
次のステップＳ１７において、信号処理及び制御部１１の回動検出部１４は、回動操作部４が回転したか否かを判定する。なお、ステップＳ１７における回転検出は、レックビュー表示モードで行われ、ステップＳ１２の回転検出は、撮影前に行われる。従って、回動操作部４とピントリング等とを兼用してもよい。
【００３８】
いま、図７に示すように、ユーザ３１が撮影機器１の筐体２１を両手３２で把持した状態で、回動操作部４を左手の指３３で回動操作するものとする。そうすると、エンコーダ部５からパルスが発生し、回動検出部１４はエンコーダ部５からのパルスによって、回動操作部４が回転したことを検出する。回動検出部１４の検出結果によって、表示制御部１２はレックビュー画像を拡大表示する（ステップＳ２５）。
【００３９】
図８（ｂ）はこの状態を示しており、表示画面９ａの全域に拡大された撮像画像４５が表示されている。更に、表示制御部１２は、表示画面９ａの中心から所定半径の円周上に、アイコンを配置する。図８（ｂ）においては、４つのアイコン４６ａ〜４６ｄを表示した例を示している。また、表示画面９ａにはメッセージ表示４７も表示される。アイコン４６ａ〜４６ｄの表示位置は、表示画面９ａの中心を通る垂直線と、中心から各アイコン４６ａ〜４６ｄを結ぶ線分との角（中心角）によって規定することができる。図８（ｃ）に示すように、反時計回りでは、アイコン４６ａの位置を規定する中心角はθ１度であり、アイコン４６ｂの位置を規定する中心角はθ２度であり、アイコン４６ｃの位置を規定する中心角はθ３度であり、アイコン４６ｄの位置を規定する中心角はθ４度である。
【００４０】
例えば、表示画面９ａのアスペクト比が１６：９の場合には、θ１＝ａｒｃｔａｎ１６／９＝６０°、θ２＝１８０°−ａｒｃｔａｎ１６／９＝１２０°、θ３＝３６０°−Θ２＝２４０°、θ４＝３６０°−θ１＝３００°となる。例えば、回動操作部４が５度回転する毎にエンコーダ部５からパルスが出力されるものとすると、回動検出部１４は、６０／５＝１２０パルスをカウントすることで、回動操作部４が６０度回転したことを検出することができる。
【００４１】
回動検出部１４は、回動操作部４の回転方向及び回転角度を検出してモード決定部１５に与える。ユーザ３１が回動操作部４を左回転（反時計回り）させた場合には、モード決定部１５は、回転角が図８（ｃ）のθ１〜θ４の各角度に到達することによって、当該位置のアイコンが選択されたものと判定する（ステップＳ２８）。例えば、回転角度θがθ２≦θ＜θ３の場合には、モード決定部１５は、中心角θ２で規定されるアイコン４６ｂが選択されているものと判定する。
【００４２】
また、表示制御部１２は、選択されているアイコンを他のアイコンと区別して表示する。例えば、選択アイコンを他のアイコンと異なる色で表示する。図８（ｂ）では、アイコンの枠を太い枠とすることで、選択されているアイコンを示している。
【００４３】
また、ユーザ３１が回動操作部４を右回転（時計回り）させた場合には、モード決定部１５は、回転角が図８（ｃ）の（３６０−θ４）〜（３６０−θ１）の各角度に到達することによって、到達した位置のアイコンが選択されたものと判定する（ステップＳ２９）。例えば、回転角度θが（３６０−θ２）≦θ＜（３６０−θ３）の場合には、モード決定部１５は、中心角θ２で規定されるアイコン４６ｂが選択されているものと判定する。
【００４４】
図６の例では、ステップＳ３０において、レリーズボタン２４の操作を検出することで、選択アイコンを確定する操作が行われものと判定する例を示している。選択アイコンを確定する操作が行われない場合には、処理をステップＳ１７に戻して、アイコンの選択処理を繰り返す。
【００４５】
ここで、ユーザ３１が右手の指３４でレリーズボタン２４を押すものとする。モード決定部１５は、ステップＳ３０において、レリーズ操作が行われたことを操作判定部７からの操作信号によって検出すると、選択アイコンを確定し、選択アイコンに対応するモードの切換えを行う（ステップＳ３１）。
【００４６】
例えば、図８（ｂ）に示すように、アイコン４６ｄが選択されている状態でレリーズボタン２４が押されると、モード決定部１５は、表示制御部１２にアイコン表示の消去を指示する。これにより、表示制御部１２は、アイコン表示を消去する。なお、アイコン４６ａは、レックビュー表示を終了させて撮影モードに移行する処理に対応し、アイコン４６ｂは、レックビュー表示を延長させる処理に対応し、アイコン４６ｄは、レックビュー画像を更に拡大させる処理に対応する。
【００４７】
なお、回動操作部４の回転操作が所定期間（例えば、３秒間）行われない場合には、表示制御部１２は、処理をステップＳ１７からステップＳ１８を経由してステップＳ１９に移行して、レックビュー表示をオフにする。
【００４８】
信号処理及び制御部１１は、ステップＳ３２において、電源オフ操作が行われた否かを判定する。電源オフ操作が行われていない場合には、信号処理及び制御部１１は、ステップＳ３４においてモード変更を受け付けた後、処理をステップＳ１に戻す。電源オフ操作が行われた場合には、信号処理及び制御部１１は電源をオフにする（ステップＳ３３）。
【００４９】
このように本実施の形態においては、撮影直後に表示されるレックビュー表示中に、アイコンを表示させ、このアイコンをレンズ鏡筒に設けた回動操作部の正逆方向の回転によって選択させ、この選択に応じて、モードを切換えるようになっており、レックビュー表示の延長や短縮、他のモードへの移行等を簡単に行うことができる。表示画面に表示されるアイコンは、同一円周上に配置されるので、回動操作部の回転操作によるアイコンの選択を極めて直感的に行うことができる。更に、アイコンの位置を規定する中心角と回動操作部の回転角とを１対１に対応させることで、一層直感的な操作が可能である。また、アイコンを表示画面の中心から所定半径の円周状に配置することで、感覚的には、回動操作部の回転中心とアイコンが配置される円の中心（表示画面の中心）とが一致し、直感的な操作性を向上させることができる。しかも、回動操作部は、レンズ鏡筒に設けられており、撮影機器を構えながらの回転操作が容易で、且つ操作時の手ブレも抑えることができる。
【００５０】
（変形例）
図９は変形例を示すフローチャートである。図９のフローは、アイコン選択操作を示している。本変形例におけるハードウェア構成は図１と同一である。上記実施の形態においては、回動操作部４をアイコンの位置を規定する中心角に対応する角度だけ回転させることによって、所望のアイコンを選択した。これに対し、回転させた回数に応じてアイコンを選択させることも可能である。図９はこの場合のアイコン選択の動作を示しており、図１の回動検出部１４及びモード決定部１５において実行される処理フローを示している。
【００５１】
図９において、Ｔｃは経過時間、ΔＴｃはパルス検出上限時間、Ｔａはパルス検出総和時間、ΔＴａはパルス検出総和時間の上限時間、Ｄｉは最新の回転方向情報、Ｄｊは保持している回転方向情報を示している。
【００５２】
上述したように、エンコーダ部５は回動操作部４の回転によって、回転パルスを出力する。回動検出部１４は回転パルスが与えられると、ステップＳ４１〜Ｓ４５において、パルス検出総和時間Ｔａの初期化、最新の回転方向情報Ｄｉの取得、ＤｊにＤｉを代入、経過時間Ｔｃの初期化及び最新の回転方向情報Ｄｉの取得を実行する。
【００５３】
回動検出部１４は、ステップＳ４６において、回転パルスが変化したか否か、即ち、回動操作部４が回転を続けているか否かを判定する。回動操作部４が回転を続け回転パルスが順次発生している場合には、処理はステップＳ４８に移行し、回動操作部４が回転を停止して回転パルスの発生が停止した場合には、処理はステップＳ４７に移行する。
【００５４】
パルス検出上限時間ΔＴｃ以内に回転パルスが変化しない場合には、モード決定部１５は、ステップＳ４７において、回転方向に応じて選択位置を更新する。例えば、図８（ｂ）のアイコン４６ｄが選択されている状態において回動操作部４を右回転させた場合には、選択アイコンはアイコン４６ｃに変化する。
【００５５】
ステップＳ４６において、回動操作部４の回転が続いているものと判定された場合には、ステップＳ４８、Ｓ４１〜Ｓ４５を経てステップＳ４６の判定が行われるか、ステップＳ４８〜Ｓ５０、Ｓ４４５，Ｓ４５を経てステップＳ４６の判定が行われる可能性がある。即ち、この場合には、回動操作部４の回転が継続する限り、ステップＳ４６からステップＳ４８に処理が移行することになり、ステップＳ４７において選択位置が更新されない。即ち、図９のフローは、回動操作部４の回転角度に拘わらず、回動操作部４の１回の回転毎に、選択アイコンを１つずつ回動操作部４の回転方向にシフトさせるものである。
【００５６】
図９のフローでは、回転方向に変化がない場合には、回動検出部１４は、ステップＳ４８からステップＳ４９に処理を移行して、パルス検出総和時間Ｔａに経過時間Ｔｃを加算する。回動検出部１４は、ステップＳ５０において、パルス検出総和時間Ｔａがパルス検出総和時間の上限時間ΔＴａ以上となったか否かを判定する。回動操作部４を回し続けて、Ｔａ≧ΔＴａになると、ステップＳ４７に処理が移行する。即ち、例えば、上限時間ΔＴａとして３秒を設定した場合には、回動操作部４の回転を３秒以上継続すると、選択アイコンが１つシフトする。
【００５７】
回動操作部４の回転方向を反転させた場合には、処理がステップＳ４８からステップＳ４１に戻って同様の処理が繰り返される。
【００５８】
このように本変形例では、回動操作部４を回転させる毎、又は同一方向の回転を３秒以上継続した場合に、選択アイコンを回動操作部４の回転方向に１つシフトさせることができる。回動操作部４を小さく回転させるだけで選択アイコンをシフトさせることができるので、アイコンの位置（中心角）に拘わらず、迅速な操作が可能である。
【００５９】
ここでは、レックビュー時の、撮影や再生、確認などの操作の迅速性を向上させる視点での説明を行ったが、例えば、静止画撮影から動画撮影に移行するなど、他のモードへの切替に、この考え方を応用することが容易であることは言うまでもない。
【００６０】
（第２の実施の形態）
図１０乃至図１３は本発明の第２の実施の形態に係り、図１０乃至図１２は第２の実施の形態を説明するための説明図、図１３は第２の実施の形態における選択操作を説明するためのフローチャートである。
【００６１】
本実施の形態はレックビュー表示時の表示方法及び選択操作が第１の実施の形態と異なるのみであり、ハードウェア構成は図１乃至図５と同様である。図１０乃至図１２は表示画面９ａ上に表示されたレックビュー表示を示している。
【００６２】
本実施の形態におけるレックビュー表示５０は、レックビュー画像を表示する背景表示領域５１と各種モードに移行するためのモード画像を表示する操作表示領域５２ａ，５２ｂ，…（以下、代表して操作表示領域５２という）とを有する。図１０（ａ）乃至（ｄ）は背景表示領域５１上に、夫々２乃至５個の操作表示領域５２を設定した例を示しているが、操作表示領域５２の個数はこれに限定されるものではない。
【００６３】
本実施の形態においても、操作表示領域５２は、表示画面９ａの中心から所定の半径の円周（以下、仮想の円周という）５３上に配置される。この場合において、操作表示領域５２の中心が仮想の円周５３上に位置するように、且つ操作表示領域５２同士は等間隔となるように配置される。また、操作表示領域５２は、背景表示領域５１のレックビュー画像よりも手前（前面側）に表示される。
【００６４】
本実施の形態においては、レックビュー画像の視認性が悪化することを防止するために、操作表示領域５２のサイズを以下のように算出する。全ての操作表示領域５２の総表示面積は、背景表示領域５１を９割残すように、表示画面９ａの１割とする。また、操作表示領域５２のアスペクト比は、表示画面９ａと同一とする。
【００６５】
操作表示領域５２の１個当たりの表示面積は下記（１）式から算出する。
Sf = Sb * 0.1 / Nf        …（１）
Sf：操作表示領域１個当たりの面積
Sb：表示画面全域の面積
Nf：操作表示領域の個数
また、操作表示領域の１個当たりの高さと幅は下記（２）式から算出する。
Ｈｆ＝｛（Ｓｆ＊Ｗｂ）／Ｈｂ｝1/2
Ｗｆ＝｛（Ｓｆ＊Ｈｂ）／Ｗｂ｝1/2        …（２）
Hf：操作表示領域１個の高さ
Wf：操作表示領域１個の幅
Hb：表示画面全域の高さ
Wb：表示画面全域の幅
また、仮想の円周５３は、中心が表示画面９ａの中心と一致し、半径Ｒは下記（３）式により算出される。
Ｒ = (Hb - Hf) / 2        …（３）
R：仮想の円周の半径
Hf：操作表示領域１個の高さ
Hb：表示画面全域の高さ
本実施の形態においては、表示制御部１２は、背景表示領域５１上に、表示画面９ａの中心から直上の基準位置５５に位置する操作表示領域５２の内容に対応した画像を表示する。従って、レックビュー表示５０の初期状態では、基準位置５５に位置する操作表示領域５２には、レックビュー画像の縮小画像が表示される（図示省略）。
【００６６】
この基準位置５５に位置する操作表示領域５２の中心位置は、表示画面９ａの中心位置を原点（0,0）とするｘｙ座標で表すと、下記（４）式で与えられる。
(x,y) = （ Ｒ*cos90 , Ｒ*sin90）
また、レックビュー表示５０の初期状態における他の各操作表示領域５２の位置（ｘ，ｙ）は、下記（５）式で与えられる。
(x,y) = （ Ｒ*cos（90+（（360/Nf）*Of））, Ｒ*sin（90+（（360/Nf）*Of）））    …（５）
Nf：操作表示領域の個数
Of：基準位置に位置する操作表示領域を基準（０番）とした各操作表示領域の反時計周りの順番
本実施の形態においては、表示制御部１２は、回動操作部４の回転方向及び回転角度に応じた回転方向及び回転角度だけ、各操作表示領域５２を仮想の円周５３上で回転移動させるようになっている。図１１（ａ）乃至（ｄ）は、操作表示領域５２が３個の場合における回転移動の様子を示しており、図１１（ａ）は回転角度が０度（初期位置）、図１１（ｂ）は回転角度が４０度、図１１（ｃ）は回転角度が８０度、図１１（ｂ）は回転角度が１２０度の状態を示している。
【００６７】
回転移動中の各操作表示領域５２の中心位置（X,Y）は下記（６）式によって与えられる。
(X,Y) = （ Ｒ*cos（90+（（360/Nf）*Of）+θ）, Ｒ*sin（90+（（360/Nf）*Of）+θ））
…（６）
θ：回転角
こうして、全ての操作表示領域５２は、相互の間隔を維持したまま、回動操作部４の回転方向に、回動操作部４が回転した角度だけ、仮想の円周５３上を移動する。
【００６８】
本実施の形態においては、回転移動の結果、基準位置５５の位置に到達した操作表示領域５２（図１１では操作表示領域５２ｃ）に表示されるモード画像に応じた画像が、表示制御部１２によって背景表示領域５１に表示される。
【００６９】
図１２はこの様子を示すものであり、図１２（ａ）は、レックビュー表示５０の初期状態を示しており、レックビュー表示モードに対応した操作表示領域５２ａは基準位置５５に位置する。この場合には、背景表示領域５１には、レックビュー画像（図示省略）が表示されている。また、操作表示領域５２ｃは、撮影モードに移行するための領域であって、スルー画の縮小画像が表示されている。
【００７０】
図１２（ｂ）は、図１２（ａ）のレックビュー表示５０の状態から操作表示領域５２を回転移動させて、基準位置５５に操作表示領域５２ａが到達したことを示している。そうすると、モード決定部１５は、操作表示領域５２ａに対応したモードである撮影モードに移行し、表示制御部１２は、図１２（ｃ）に示すように、スルー画６１を背景表示領域５１に表示させる。また、表示制御部１２は、所定時間、例えば５秒以上回動操作部４が回転操作されない場合には、図１２（ｄ）に示すように、操作表示領域５２の表示を消去してレックビュー表示５０を終了させ、撮影モード表示６０に移行するようになっている。なお、レックビュー表示として十分な時間であると共に、何らの操作をしなくても次のモードに自動的に移行する十分に短いとして５秒を採用したが、適宜の時間を設定可能である。
【００７１】
次に、このように構成された実施の形態の動作について図１３のフローチャートを参照して説明する。
【００７２】
レックビュー表示が開始されると、回動検出部１４は、回転パルス数Ｐｃを初期化し（ステップＳ５１）、次いで、経過時間Ｔｃを初期化する（ステップＳ５２）。なお、レックビュー表示５０の初期状態では、図１０に示す表示が行われる。経過時間Ｔｃは、レックビュー表示を停止するまでの時間を計測するためのものであり、経過時間Ｔｃが所定の時間、例えば、５秒を超えると、表示制御部１２はレックビュー表示を停止する。
【００７３】
ステップＳ５３では、回動検出部１４によって回動操作部４から回転パルスが発生したか否かが判定される。回転パルスが発生していない場合には、回動検出部１４は、処理をステップＳ５４に移行して、Ｔｃが５秒を超えたか否かを判断する。ステップＳ５３，Ｓ５４を繰り返してＴｃが５秒を超えたものと判定されると、表示制御部１２はレックビュー表示を停止する。
【００７４】
回転パルスが発生している場合には、回動検出部１４によって回転方向が検出される。回動検出部１４は、左回転と判定した場合には、回転パルスのカウント値の変数Ｐｃに回転パルス数を加算する（ステップＳ６２）。図１３の例は、左回転（反時計回り）を正、右回転（時計回り）を負とする例であり、回動検出部１４は、右回転と判定した場合には、変数Ｐｃから回転パルス数を減算する（ステップＳ６３）。
【００７５】
次に、回動検出部１４は、１回転当たりのパルス数Ｐａと現時点のパルス数Ｐｃとに基づいて、現在の回転角度θを下記（７）式によって算出する（ステップＳ６４）。
θ＝３６０＊（Ｐｃ／Ｐａ）    …（７）
次に、回動検出部１４は、ステップＳ６５において、回転角度θが表示更新角度θｉを超えたか否かを判定する。部品精度によっては、回転パルスの誤検出等が考えられる。検出された回転パルスに基づいて表示を更新すると、表示が見にくくなる虞がある。そこで、回動検出部１４は、ステップＳ６２，Ｓ６３において求めた回転角度θが表示更新角度θｉを超えた場合にのみ、表示を更新する回転操作が行われたものと判定して制御を行う。回動検出部１４は、回転角度θが表示更新角度θｉを超えていない場合には、処理をステップＳ２に戻して、処理を繰り返す。
【００７６】
回転角度θが表示更新角度θｉを超えると、回動検出部１４は、ステップＳ６６において、回転角度θに基づいて操作表示領域５２の表示位置の情報を更新する。次いで、回動検出部１４は、ステップＳ６７において、下記（８）式に基づき、背景表示領域５１を更新するか否かを判定する。例えば、回動検出部１４は、操作表示領域５２が３つの場合には、回転角度θが±１２０度以上になると、背景表示領域５１を更新すべきと判定する。
θ≧±３６０／Ｎｆ      …（８）
回動検出部１４は、背景表示領域を更新する必要がないと判定した場合には、次のステップＳ６８において、操作表示領域５２の表示位置を更新して背景表示領域５１上に配置する。次いで、表示制御部１２は、ステップＳ６９において、この配置に基づいてレックビュー表示５０を更新する。例えば、操作表示領域５２が３つの場合において、初期状態から回動操作部４を４０度左回転させた場合には、図１１（ｂ）に示す状態となる。即ち、ステップＳ５２〜Ｓ６９によって、各操作表示領域５２は、回動操作部４の回転方向及び回転角度に応じた回転方向及び回転角度で、仮想の円周５３上を回転移動する。
【００７７】
回転角度θが上記（８）式を満足した場合には、回動検出部１４は、ステップＳ６７から処理をステップＳ７０に移行して、下記（９）式に基づいて、初期状態において基準位置５５に位置した操作表示領域５２を基準（０番目）として、何番目の操作表示領域５２が基準位置に到達したかを算出する。
Ｏｆ＝−θ／（３６０／Ｎｆ）    …（９）
例えば、レックビュー表示の初期状態において、図１２（ａ）に示すように基準位置５５に操作表示領域５２ａが位置するものとすると、回転角度θが反時計方向に１２０度≦θ＜２４０の範囲の場合には、反時計回りで−１番目の操作表示領域５２ｃが基準位置５５に到達したものと判定される。また、例えば、回転角度θが時計方向に２４０度≦θ＜３６０の範囲の場合にも、反時計回りで２番目の操作表示領域５２ｃが基準位置５５に到達したものと判定される。
【００７８】
次のステップＳ７１では、表示制御部１２は、背景表示領域５１に表示する画像を、基準位置５５に到達した操作表示領域５２に対応したモードに基づいて変更する。例えば、図１２（ｃ）に示すように、操作表示領域５２ｃが撮影モードを指定するものである場合には、表示制御部１２は、撮影モードに移行して背景表示領域５１にスルー画を表示する。
【００７９】
本実施の形態においては、例えば、操作表示領域５２に、第１の実施の形態と同様に、撮影モード、レックビュー表示の延長、レックビュー表示の短縮、画像の拡大等のモードを割当てることができ、回動操作部４の回転操作によって、これらのモードを簡単に選択することができる。
【００８０】
このように本実施の形態においても第１の実施の形態と同様の効果が得られる。ここでは、レックビュー時の、撮影や再生、確認などの操作の迅速性を向上させる視点での説明を行ったが、例えば、静止画撮影から動画撮影に移行するなど、他のモードへの切替に、この考え方を応用することが容易であることは言うまでもない。
【００８１】
（変形例）
図１４及び図１５は第２の実施の形態の変形例を示すフローチャートである。図１４は全体の処理を示し、図１５は図１４中の回動検出及び表示回転制御処理の具体的な動作フローを示している。図１５において図１３と同一の手順については同一符号を付して説明を省略する。
【００８２】
本変形例はレックビュー表示時の選択操作が第２の実施の形態と異なるのみであり、ハードウェア構成及びレックビュー表示の表示方法は、第２の実施の形態と同様である。第２の実施の形態においては、回動操作部４の回転に同期して操作表示領域５２を回転させた。これに対し、本変形例では、回動操作部４の回転速度を検出して、回転速度に応じて操作表示領域５２を回転移動させるようになっている。
【００８３】
図１４において、レックビュー表示が開始されると、回動検出部１４は、経過時間Ｔｃを初期化する（ステップＳ７５）。なお、レックビュー表示の初期状態では、図１０に示す表示が行われる。次いで、回動検出部１４及び表示制御部１２は、ステップＳ７６において、回動検出及び表示回転制御処理を実施し、回動操作部４の回転に応じて操作表示領域５２を仮想の円周５３上で回転移動させる。次に、回動検出部１４及び表示制御部１２は、ステップＳ７７において操作表示領域５２の表示が回転しているか否かを判定し、回転していない場合には、経過時間Ｔｃが所定の時間Ｔｅ、例えば、５秒を超えたか否かを判定して、レックビュー表示のオン，オフを決定する（ステップＳ７８，Ｓ７９）。
【００８４】
図１５の回動検出及び表示回転制御処理においては、単位時間Ｔｉに回動操作部４がどれだけ回転したか、即ち、回動操作部４の回転速度に応じて操作表示領域５２の回転移動を制御する。回動検出部１４は、先ず、回転パルス数Ｐｃを初期化し（ステップＳ８１）、次に、回転速度を求める単位時間Ｔｉを初期化する（ステップＳ８２）。ステップＳ８３では、回動検出部１４によって、経過時間Ｔｃが単位時間Ｔｉに到達したか否かが判定される。到達していない場合には、ステップＳ８４において、回動検出部１４は、回転パルス発生の有無を判定し、左回転の場合には回転パルス数を加算し（ステップＳ８６）、右回転の場合には回転パルス数減算した（ステップＳ８７）後、処理をステップＳ８１に戻す。
【００８５】
ステップＳ８１〜Ｓ８７によって、単位時間Ｔｉ当たりの回転パルス数、即ち、回動操作部４の回転速度が求められる。なお、単位時間Ｔｉは、例えば数十ｍｓオーダーに設定する。
【００８６】
単位時間Ｔｉが経過すると、回動検出部１４は、ステップＳ９１において、下記（１０）式によって、回動操作部４の回転速度（角速度ω）を算出する。なお、Ｐａは回動操作部４の１回転当たりに発生する回転パルス数である。
【００８７】
ω＝（３６０＊Ｐｃ／Ｐａ）／Ｔｉ      …（１０）
次に、表示制御部１２は、この角速度ωに基づいて、ステップＳ９２〜Ｓ９５において、操作表示領域５２の回転速度（角速度ωａ）を求める。先ず、表示制御部１２は、ステップＳ９２において、操作表示領域の角速度ωａと回動操作部４の角速度ωとの符号が逆か否か、即ち、回動操作部４の回転方向と操作表示領域５２の回転方向とが逆か否かが判定される。符号が逆の場合には、表示制御部１２は、ステップＳ９５において、操作表示領域５２の回転角速度ωａを角速度ωとする。なお、初期状態では、ωａ＝０であるが、この場合にもステップＳ９５の処理が行われる。
【００８８】
回動操作部４の回転方向と操作表示領域の回転方向とが一致している場合には、表示制御部１２は、ステップＳ９３において、角速度ωａと角速度ωとの大小比較を行う。操作表示領域５２の回転角速度ωａが角速度ωよりも遅い場合には、表示制御部１２は、ステップＳ９５において、操作表示領域５２の回転角速度ωａを角速度ωとして、操作表示領域５２の回転速度を加速する。逆に、操作表示領域５２の回転角速度ωａが角速度ωよりも早い場合には、表示制御部１２は、ステップＳ９４において、操作表示領域５２の回転角速度ωａを一定の割合で減速する。
【００８９】
例えば、左回転（反時計回り）を正とし、右方向（時計回り）を負とすると、表示制御部１２は、左回転の場合には、ωａ＝ωａ−ωｂとし、右回転の場合には、ωａ＝ωａ＋ωｂとすることで減速を行う。なお、ωｂは予め設定された減速値である。
【００９０】
次に、表示制御部１２は、ステップＳ９６において、操作表示領域５２の回転角速度ωａが０か否か、即ち、停止したか否かを判定する。停止している場合には、処理を図１４のステップＳ７７に戻す。停止していない場合には、表示制御部１２は、ステップＳ９７において、操作表示領域５２の回転角速度ωａに基づいて、操作表示領域５２の総回転角度θを下記（１１）式により求める。
θ＝θ＋（ωａ＊Ｔｉ）        …（１１）
以後のステップＳ６６〜Ｓ７１の処理は、図１３のステップＳ６６〜Ｓ７１と同様であり、表示制御部１２は、総回転速度θに基づいて、操作表示領域５２を回転移動させると共に、基準位置５５に到達した操作表示領域５２を求めて、背景表示領域５１に、基準位置５５に到達した操作表示領域５２により指定されるモードに基づく画像を表示する。また、モード決定部１５は、このモードへの切換えを行う。
【００９１】
このように本変形例においては、回動操作部４の回転速度に応じて操作表示領域５２の回転量を決定するようになっており、比較的小さく回転操作した場合でも、操作表示領域５２を大きく回転させることができ、操作性に優れている。
【００９２】
なお、上記実施の形態においては、基準位置に到達した操作表示領域により指定される画像と背景表示領域に表示する画像とが同一となる例について説明したが、背景表示領域に表示する画像に対応した操作表示領域の表示を省略するようにしてもよい。図１６はこの例を図１２（ｃ）に対応させて示すものであり、基準位置５５に到達した操作表示領域５２ｃの表示が省略されている。
【００９３】
なお、上記各実施の形態においては、撮影機器の本体に設けた表示部にレックビュー表示を行う例について説明したが、撮影機器の外付け部品であるビューファインダー等にレックビュー表示を行うようにしてもよいことは明らかである。
【００９４】
ここでは、レックビュー時の、撮影や再生、確認などの操作の迅速性を向上させる視点での説明を行ったが、例えば、静止画撮影から動画撮影に移行するなど、他のモードへの切替に、この考え方を応用することが容易であることは言うまでもない。
【符号の説明】
【００９５】
１…撮影機器、２…撮像部、４…回動操作部、５…エンコーダ部、９…表示部、１１…信号処理及び制御部、１２…表示制御部、１４…回動検出部、１５…モード決定部。
【図１】
2012205273.tif 000003
【図２】
2012205273.tif 000004
【図３】
2012205273.tif 000005
【図４】
2012205273.tif 000006
【図５】
2012205273.tif 000007
【図６】
2012205273.tif 000008
【図７】
2012205273.tif 000009
【図８】
2012205273.tif 000010
【図９】
2012205273.tif 000011
【図１０】
2012205273.tif 000012
【図１１】
2012205273.tif 000013
【図１２】
2012205273.tif 000014
【図１３】
2012205273.tif 000015
【図１４】
2012205273.tif 000016
【図１５】
2012205273.tif 000017
【図１６】
2012205273.tif 000018